(57)【要約】【課題】燃料電池に用いられ、損傷に対する影響の大きい長尺状の炭素質繊維シートを、その損傷を抑制した状態にて保管、輸送する。【解決手段】所定の長さを有する巻芯に、この巻芯の長さと同等の幅またはこの長さよりも短い幅からなる長尺の炭素質繊維シートを巻回させた巻装シート２０と、この巻芯を支えることで巻装シート２０を両側から支持する支持材１０と、この支持材１０を両端に備えた巻装シート２０を梱包する段ボール箱３０とを備えた。【選択図】　　　　図１
2004059070.tif 000002
【特許請求の範囲】
【請求項１】
所定の長さを有する巻芯に、当該巻芯の当該長さと同等の幅または当該長さよりも短い幅からなる長尺の炭素質繊維シートを捲回させた巻装シートと、
前記巻芯を支えることで前記巻装シートを支持する支持材と、
前記支持材を両端に備えた前記巻装シートを梱包する箱材とを備えたことを特徴とする梱包物。
【請求項２】
前記支持材は、前記巻芯の端部に設けられた中空部と嵌合する突起部と、当該巻芯の当該端部に当接する当接部とを備えてなることを特徴とする請求項１記載の梱包物。
【請求項３】
前記突起部は樹脂材からなるキャップであり、前記当接部を有する内装固定用パッドに貫入して前記支持材の一部を形成することを特徴とする請求項２記載の梱包物。
【請求項４】
前記巻装シートは、前記炭素質繊維シートを前記巻芯に捲回させ、捲回された当該炭素質繊維シートの周囲に包装材が巻かれてなることを特徴とする請求項１記載の梱包物。
【請求項５】
所定の長さを有する巻芯に、長尺の繊維シートを捲回させた巻装シートと、
前記巻装シートにおける前記巻芯の両端部を当接させ、当該巻装シートを支持する支持材と、
前記支持材と前記巻芯とによって形成される寸法に応じた内寸を有し、当該支持材によって支持された前記巻装シートを梱包する箱材とを備えたことを特徴とする梱包物。
【請求項６】
前記箱材における前記内寸の１つは、前記巻芯の前記長さと、前記支持材が当該巻芯と当接する部分を含む当該支持材の厚さとによって決定される寸法であることを特徴とする請求項５記載の梱包物。
【請求項７】
前記箱材における前記内寸は、前記巻芯に前記繊維シートが捲回された前記巻装シートの直径よりも大きいことを特徴とする請求項５記載の梱包物。
【請求項８】
巻芯に巻かれた長尺状の炭素質繊維シートを梱包する炭素質繊維シートの梱包材であって、
前記巻芯の両端から当該巻芯を支持することで前記炭素質繊維シートを略水平に浮かせた状態で保持する保持手段と、
前記保持手段に保持された前記炭素質繊維シートを梱包する梱包手段とを有し、
前記保持手段により保持された前記炭素質繊維シートを前記梱包手段にて梱包した際、当該保持手段と前記巻芯とによって、当該巻芯の長さ方向における当該梱包手段の強度が増大されることを特徴とする炭素質繊維シートの梱包材。
【請求項９】
前記保持手段は、前記巻芯の両端部を当接部に当接させることで、前記炭素質繊維シートの当該巻芯の長さ方向における損傷を抑制することを特徴とする請求項８記載の炭素質繊維シートの梱包材。
【請求項１０】
前記梱包手段は、巻芯に巻かれた前記炭素質繊維シートの直径よりも大きな内寸を有し、当該炭素質繊維シートの直径方向から受ける外圧による当該炭素質繊維シートの損傷を抑制することを特徴とする請求項８記載の炭素質繊維シートの梱包材。
【発明の詳細な説明】
【０００１】
【発明の属する技術分野】
本発明は、シートを保存、輸送する梱包物等に係り、より詳しくは、燃料電池用炭素質繊維シート等の製品を梱包して出荷するための梱包物等に関する。
【０００２】
【従来の技術】
近年、資源問題や環境問題に答えた発電システムとして、発電効率が高く環境性にも優れたエネルギー供給源である燃料電池が注目されている。この燃料電池の中で、低温で運転でき、扱い易く、かつ出力密度も高いという点で、低温電解質に固体高分子を使った固体高分子型燃料電池（ＰＥＦＣ：Ｐｏｌｙｍｅｒ　Ｅｌｅｃｔｒｏｌｙｔｅ　Ｆｕｅｌ　Ｃｅｌｌｓ）が最も注目されている。この固体高分子型燃料電池を構成する単セルは、通常、膜電極体と溝付セパレータを主要構成部材としている。この膜電極体の基本構造は、高分子固体電解質膜（イオン交換膜）の両面に、触媒層、ガス拡散層及び集電体を順次接合したものである。この触媒層は、主に触媒とカーボンブラックとの混合物からなっており、ガス拡散層に集電体の機能を兼ねさせることもできる。この膜電極体の両面に溝付セパレータを接合することで、固体高分子型燃料電池の単セルが形成される。
【０００３】
ここで、固体高分子型燃料電池は、溝付セパレータの溝を経てアノード側触媒層に燃料（水素ガス）、カソード側触媒層に酸化剤（酸素含有ガス）をそれぞれ供給して電池反応を生起させ、このとき膜電極体を介して発生する電子の流れを電気エネルギーとして外部に取り出す仕組みになっている。従って、ガス拡散材料としては、以下のことが望まれている。
イ）　この電気エネルギーとして外部に取り出す仕組みを効率よく作動させるために、膜電極接合体に燃料と酸化剤を円滑かつ均等に供給すること。
ロ）　電気エネルギーの取り出し効率を出来るだけ低下させないために、十分な導電性を有すること（即ち、体積固有抵抗が低いこと）。
ハ）　膜電極体の中央の固体電解質膜がプロトン伝導性を発現できるように、適度の水分を保持していること（保水性）。
ニ）　電池反応に伴って生成する水を円滑に排出できること（排水性）。
ホ）　工業的な生産のために、低い製造コストで量産化出来ること。
【０００４】
ところで、ガス拡散層（集電体を兼ねることもあり）の材料としては、従来、カーボンペーパーが用いられているが、炭素質繊維を製織してなる炭素質繊維織布（カーボンクロス）などの炭素質繊維シートを用いることが検討されている。この炭素質繊維シートは、カーボンペーパーに比べて、通気性が高く、燃料が円滑、均等に膜電極接合体に供給し易く、体積固有抵抗を低くし易い。また、材料や製織方法によっては、厚み方向に弾性を持たせることで機械的脆さをなくすことができ、保水性や排水性もコントロールし易い。従って、カーボンペーパーにない利点が多々あることから、近年、大きく注目されてきている。
【０００５】
この膜電極体の製造に当たっては、触媒層をガス拡散層材料と一体化するのに、例えば、塗付法などを用いて触媒層を連続的にガス拡散層材料に形成できれば、工業的な量産化に望ましく、ガス拡散層材料である炭素質繊維シートを、長尺状にしておけば、その利用性を広げることができる。また、炭素質繊維シートを燃料電池用ガス拡散材料として用いる場合には、単セルを数１０〜１００個程度までスタックしてビス止めなどにより加圧して固定して用いることが多い。従って、炭素質繊維シートとしては、厚みムラが少なく、平滑性が高いと共に、取り付けた際に歪みがかかったり、緩みを生じないといった高い品質が要求される。
【０００６】
【発明が解決しようとする課題】
このように、燃料電池に用いられる炭素質繊維シートとして厚みムラが少なく、平滑性が高いといった一定の品質が要求されるが、かかる要求に基づいて製造された場合であっても、その保管や輸送に際して十分な配慮がなされていなければ、かかる要求を満足する製品を顧客に提供することができなくなる。ここで、通常、長尺状の繊維織布である服地等の生地（織布）を保管・輸送する際には、例えば１インチ程度の紙管巻か、折りたたんだ形にし、コンパクトにまとめた後に、例えばポリエチレン袋等に入れて保管され、そのまま床置きされている。また、輸送に際しても、かかるポリエチレン袋を積み重ねた状態にてダンボール箱等の梱包材に入れて輸送されているのが一般的である。
【０００７】
しかしながら、長尺状の炭素質繊維シートを、一般的な繊維織布と同様に梱包し、輸送する場合において、折角、厚みムラが少なく平滑性の高い炭素質繊維シートを製造した場合であっても、例えば折りたたんでしまうと折り癖がついてしまい、一定の品質を保つことが出来なくなる。また、炭素質繊維シートは、次工程への供給性からロール状に巻き取ることが好ましいが、輸送中に梱包材の内壁に当たるなどして、擦れた場合には、毛羽が発生してしまい、電池特性に影響が出てしまう。更に、巻いたものに無理な荷重がかかると、シワが入ったり、厚さムラ等が生じてしまう。また更に、床置きにしたり、巻いたものを積み重ねたりすると、炭素質繊維シートに大きな荷重がかかり、シワが入ったり、厚さムラ等が生じる原因となる。
【０００８】
そこで、本発明は、例えば、損傷に対する影響の大きい長尺状の炭素質繊維シートを、その損傷を抑制した状態にて保管、輸送することを主たる目的とする。また他の目的は、炭素質繊維シート等を含め、長尺状のシートを保管、輸送するにあたり、梱包材の強度を有効に増大させることにある。
【０００９】
【課題を解決するための手段】
かかる目的のもと、本発明は、通常の織布と異なり、外圧からの損傷が品質に大きな影響を及ぼす長尺状の炭素質繊維シートを保管、輸送するにあたり、この長尺状の炭素質繊維シートが巻かれた巻装シートを、包装容器である段ボール箱の中で略水平に浮かせた状態で保持している。即ち、本発明が適用される梱包物は、所定の長さを有する巻芯に、この巻芯の長さと同等の幅またはこの長さよりも短い幅からなる長尺の炭素質繊維シートを捲回させた巻装シートと、この巻芯を支えることで巻装シートを支持する支持材と、この支持材を両端に備えた巻装シートを梱包する箱材とを備えたことを特徴としている。
【００１０】
ここで、この支持材は、巻芯の端部に設けられた中空部と嵌合する突起部と、巻芯の端部に当接する当接部とを備えてなることを特徴とすることができる。更に、この突起部は樹脂材からなるキャップであり、当接部を有する内装固定用パッドに貫入して支持材の一部を形成することを特徴としている。また、この巻装シートは、炭素質繊維シートを巻芯に捲回させた後、捲回された炭素質繊維シートの周囲に包装材が巻かれてなることを特徴とすることができる。尚、この中空部と突起部との嵌合は、必ずしも強く嵌合する必要はなく、包装材を間に挟んで嵌合する等、緩やかに嵌め込まれる場合もある。
【００１１】
一方、本発明が適用される梱包物は、所定の長さを有する巻芯に、長尺の繊維シートを捲回させた巻装シートと、この巻装シートにおける巻芯の両端部を当接させ、巻装シートを支持する支持材と、この支持材と巻芯とによって形成される寸法に応じた内寸を有し、支持材によって支持された巻装シートを梱包する箱材とを備えたことを特徴としている。
【００１２】
ここで、この箱材における内寸の１つは、巻芯の長さと、支持材が巻芯と当接する部分を含む支持材の厚さとによって決定される寸法であることを特徴とすれば、巻芯の長さ方向において、有効に巻装シートを保護することが可能となる。また、箱材の内部に詰め物（緩衝材）等を設ける場合には、この詰め物の大きさ（厚さ、伸縮度合い等）も考慮して内寸の１つが決定されることが好ましい。この箱材における内寸は、巻芯に繊維シートが捲回された巻装シートの直径よりも充分に大きく、捲回した巻装シートが箱材の内壁に接触しないことを特徴とすれば、巻装シートの円周方向において、有効に巻装シートを保護することができる。
【００１３】
他の観点から把えると、本発明は、巻芯に巻かれた長尺状の炭素質繊維シートを梱包する炭素質繊維シートの梱包材であって、巻芯の両端からこの巻芯を支持することで炭素質繊維シートを略水平に浮かせた状態で保持する保持手段と、この保持手段に保持された炭素質繊維シートを梱包する梱包手段とを有し、この保持手段により保持された炭素質繊維シートを梱包手段にて梱包した際、保持手段と巻芯とによって、この巻芯の長さ方向における梱包手段の強度が増大されることを特徴とすることができる。
【００１４】
ここで、支持材をその代表とする保持手段は、巻芯の両端部を当接部に当接させることで、炭素質繊維シートの巻芯の長さ方向における損傷を抑制することを特徴とすることができる。また、段ボール箱等の容器をその代表とする梱包手段は、巻芯に巻かれた炭素質繊維シートの直径よりも大きな内寸を有し、この炭素質繊維シートの直径方向から受ける外圧による炭素質繊維シートの損傷を抑制することを特徴とすることができる。
【００１５】
【発明の実施の形態】
以下、本発明の実施の形態について添付図面を参照して詳細に説明する。
図１（ａ），（ｂ）は、本実施の形態が適用される梱包物を説明するための図である。図１（ａ）は、梱包物の内部を示した図であり、この図１（ａ）に示す両端に設けられた支持材１０に支持された巻装シート２０が図１（ｂ）に示す箱材である段ボール箱３０の内部に挿入（内装）される。支持材１０および巻装シート２０を段ボール箱３０に内装する際には、支持材１０の長手方向を段ボール箱３０の長手方向に、支持材１０の短手方向を段ボール箱３０の短手方向に合わせられる。
【００１６】
支持材１０は、巻装シート２０における巻芯（後述）の中空部に挿入される突起部であるキャップ１２と、このキャップ１２を保持すると共に支持材１０の端部に当接する当接部を有する内装固定用パッド１１を備えている。この支持材１０を巻装シート２０の両端に設けることで、巻装シート２０を略水平に保持する保持手段とし機能している。巻装シート２０は、段ボール箱３０に内装された際、段ボール箱３０の内部で動かないことが望ましい。そのために、本実施の形態では、巻装シート２０の巻芯（後述）の長さと内装固定用パッド１１の厚さによって形成される長手方向長さが、図１（ｂ）に示す段ボール箱３０の内寸、即ち、内部の長手方向長さと同等となるように設計されている。また、内装固定用パッド１１は、短手方向の長さを段ボール箱３０の内部の短手方向長さと同等とし、この内装固定用パッド１１の高さを段ボール箱３０の内寸である深さと同等としている。即ち、箱材である段ボール箱３０の内寸は、支持材１０と巻芯（後述）とによって形成される寸法に応じたものとなっている。
【００１７】
ここで、段ボール箱３０の内側に、例えばエアーキャップ等のクッション材や段ボール等からなる所定の詰め物（緩衝材）を設けるように構成した場合には、図１（ａ）に示す長手方向長さが図１（ｂ）に示す段ボール箱３０の長手方向長さよりも短くなる場合がある。この場合、図１（ａ）に示す梱包物を複数個、段ボール箱３０の長手方向に合わせて梱包することもでき、更に緩衝材を設けることもできる。また、理論上は、段ボール箱３０に図１（ａ）を挿入した後、両端に設けられたキャップ１２から巻装シート２０が外れない寸法までは、段ボール箱３０の長手方向内寸よりも図１（ａ）に示す長手方向を短くすることができる。更に、例えば、図１（ａ）に示す梱包物を複数個、段ボール箱３０に詰める際などに、図１（ａ）に示す長手方向を図１（ｂ）に示す段ボール箱３０の短手方向に合わせて梱包する場合には、図１（ａ）に示す長手方向と図１（ｂ）に示す段ボール箱３０の短手方向内寸とが、上述したような長さと同等もしくは図１（ａ）に示す長手方向が図１（ｂ）に示す段ボール箱３０の短手方向内寸よりも所定長さまで短くなるように構成することができる。
【００１８】
尚、支持材１０に支えられた巻装シート２０を、梱包手段としての箱材である段ボール箱３０へ挿入するに際して、作業性を向上させるためには、内装固定用パッド１１の短手方向長さおよび高さを同じ長さとし（正方形にし）、即ち、段ボール箱３０の深さと短手方向内寸法とを同じ長さとすることが好ましい。縦と横を同じ長さとすることで、作業者は縦と横を区別することなく装填作業を実行することができる。図１（ｂ）に示す段ボール箱３０は、図１（ａ）に示す支持材１０によって両端が支えられた巻装シート２０を挿入した後、蓋が閉じられ、閉じられた状態にて、保存され、輸送される。
【００１９】
図２は、本実施の形態における保存、輸送対象物である捲回された炭素質繊維シート２２を説明するための図である。図２に示す巻芯２１に炭素質繊維シート２２を捲回させ、包装材（後述）を巻きつけて、図１に示す巻装シート２０を構成している。触媒層を連続的にガス拡散層材料に形成することが工業的な量産化に望ましいことから、ガス拡散層材料である炭素質繊維シート２２は、例えば塗付法によってカーボンが塗付され、長尺状に形成されている。また、炭素質繊維シート２２は、燃料電池用ガス拡散材料として用いられることから、厚みムラが少なく、平滑性が高くなるように製造されており、燃料電池に固定される際には、ひずみがかかったり、緩みを生じさせないことが要求される。
【００２０】
この炭素質繊維シート２２のシートの種類としては、炭素質繊維の紡績糸、または長繊維を、平織り、綾織り、繻子織り等の組織で織られた織布、またはこの織布に樹脂、または樹脂の炭化物、導電性カーボンブラック等の導電性物質等を付加して、機械的強度、電気的特性等を改良したものが用いられる。また、炭素質繊維の短繊維および／または長繊維を、樹脂バインダ等で結着させてシート化したもの等、捲回可能な炭素質シート（炭素質不織布）などがある。炭素質繊維シートは、通常、厚さが０．０５〜１ｍｍ、好ましくは０．２〜０．４ｍｍ、目付量は３０〜３００ｇ／ｍ２、好ましくは、８０〜１３０ｇ／ｍ２、体積抵抗率は０．５ｍΩ以下、好ましくは０．１ｍΩ以下である。更に、炭素質繊維の紡績糸を平織りにした織布の場合、経緯密度は縦・横ともに２０〜１２０／インチ、好ましくは縦が３０〜６０インチ、横が２５〜５５インチである。また、幅は３ｃｍ以上１００ｃｍ以下程度であり、４０ｃｍ程度の幅が広く用いられる。更に、長さは、１ロールあたり１０〜２００ｍであり、巻芯２１に一定の張力によって緩く巻かれている。
【００２１】
巻芯２１は、例えば紙材によって形成される管である紙管であり、内径は１（２．５４ｃｍ）〜１０インチ（２５．４ｃｍ）、好ましくは２（５．０８ｃｍ）〜５インチ（１２．７ｃｍ）である。肉厚は、１〜１０ｍｍ、好ましくは３〜５ｍｍである。内径が１インチよりも小さい場合には、炭素質繊維シート２２を巻きにくく、中心に近い炭素質繊維シート２２に対して巻き癖がつく可能性がある。尚、内径の単位としてインチ系を用いているのは、搬送先である次行程にて、巻芯２１がインチ単位で形成されている治具に取り付けられるためである。この次工程では、例えば、裁断工程にて、巻芯２１が治具に取り付けられ、回転されながら順に送られて一定寸法に裁断される。巻芯２１の肉厚は、支持材１０によって両端が支えられた巻装シート２０が梱包される際に、機能上、図１（ｂ）に示す長手方向の位置（図２に示す幅の方向）を安定させて保持するために重要な役割を担っている。尚、巻芯２１は、支持材１０の突起部であるキャップ１２によって支えられれば足り、少なくとも両端部に中空部を備えていればよく、必ずしも貫通した穴を有する管である必要はない。
【００２２】
巻芯２１の長さ（長手方向長さ）は、炭素質繊維シート２２の幅と同じかそれ以上である（即ち、炭素質繊維シート２２の幅は、巻芯２１の長さと同等かそれよりも短い）。この巻芯２１の長さは、次行程における使い勝手を優先させて決定されるが、炭素質繊維シート２２の幅と同じである場合には、梱包された際に炭素質繊維シート２２の長手方向位置ずれが支持材１０によって抑制される点で好ましい。また、裁断時の無駄がなく、各行程にて端の位置決めがし易い点も利点として挙げられる。しかしながら、布の端に若干の損傷が生じることは避けられない。一方、炭素質繊維シート２２の幅よりも巻芯２１の長さが長い場合には、巻芯２１に炭素質繊維シート２２を巻く際に、多少の蛇行が許される点で作業性を向上させることができる。但し、搬送時において、炭素質繊維シート２２に対する長手方向の位置ずれを抑制する何らかの手段が別途必要となる場合がある。
【００２３】
また、巻芯２１の重量としては、内径３インチ、肉厚５ｍｍ、長さ３０ｃｍのもので、２９０〜３００ｇ程度である。巻芯２１の強度は、炭素質繊維シート２２の重量に耐えられる強度が最低限、要求される。炭素質繊維シート２２は、例えば、幅３０ｃｍ、長さ５０ｍで、１．４〜１．６ｋｇ程度のものを用いた場合には、内径３インチ、肉厚５ｍｍ、長さ３０ｃｍ程度の巻芯２１にて、２００ｍ程度の炭素質繊維シート２２も十分に保持することができる。この巻芯２１によって、炭素質繊維シート２２が梱包された際、梱包物として、巻芯２１の長さ方向が強化され、結果として、段ボール箱３０の長手方向（巻芯２１の長さ方向）における強度が増大されたものと言える。即ち、梱包手段である段ボール箱３０に、特別な補強手段を加えなくとも、炭素質繊維シート２２の保護として充分な強度を得ることが可能となる。
【００２４】
尚、炭素質繊維シート２２を巻芯２１に巻く巻き方としては、厚さ等を含む製品性状の長さ方向の均一性を確保する等の理由により、緩まない程度の一定張力が好ましい。このようにして巻き上げた結果、内径３インチ、肉厚５ｍｍ、長さ３０ｃｍ、重量２９０〜３００ｇ程度の紙管を用い、炭素質繊維シート２２として幅３０ｃｍとすると、例えば炭素質繊維シート２２の長さが５０ｍで１．４〜１．６ｋｇ程度、その直径が２０ｃｍ程度であり、例えば炭素質繊維シート２２の長さが２００ｍで４．７〜５．６ｋｇ程度、その直径が３５ｃｍ程度となる。
【００２５】
図３は、本実施の形態が適用される支持材１０を説明するための図であり、巻装シート２０をその両端から当接させて固定させる内装固定用パッド１１および突起部を形成するキャップ１２の断面を示している。支持材１０は、図３に示す内装固定用パッド１１およびキャップ１２の２つを一組にして、巻装シート２０を両端から保持する。支持材１０では、内装固定用パッド１１の中心部に穴（丸穴）が開けられ、その穴にキャップ１２が貫入される。そして、巻装シート２０の巻芯２１における両端の中空部をこのキャップ１２に嵌合させて、巻装シート２０を支えている。尚、巻芯２１とキャップ１２との嵌合は、きつく嵌合させる必要はなく、輸送に際して問題ない程度に緩嵌させても構わない。
【００２６】
内装固定用パッド１１は、例えば、段ボール等の紙、木材、プラスチック等を材質とし、巻装シート２０を支えられる強度を備える必要がある。本実施の形態では、外箱である段ボール箱３０の中に挿入された際、その中で動かない形、大きさとなるように構成されている。例えば、段ボールを使用し、大きさとしては、図１に示した短手方向長さ×高さが３１ｃｍ×３１ｃｍの正方形をしている。また、段ボール箱３０に挿入し易いように、角が丸められていることが好ましい。また、その中心には、キャップ１２の大きさに合わせて、例えば７．４〜７．５ｍｍの穴が開けられている。厚みは、例えば約１．５ｍｍ＋約３．５ｍｍの２枚重ねの段ボールを、ダブル２枚で張り合わせ、例えば全体で１０ｍｍ程度（１．５＋３．５＋３．５＋１．５）のものを用いることができる。更に、搬送後、取り出す際に、取り出し易いように、取っ手となるような穴を内装固定用パッド１１に設けることもできる。また更には、持ち手となるような紐状の取っ手を内装固定用パッド１１に形成することもできる。尚、この内装固定用パッド１１の外形寸法を段ボール箱３０の内寸と同等とすれば、段ボール箱３０の強度を増大させることが可能となる。
【００２７】
突起部を形成するキャップ１２は、例えば、つば１３を有する円筒形状をしており、つば（縁）付きの帽子（ｈａｔ）の天頂部分に穴を開けたような形状をしている。また、上部に内側の折り返しである上部耳１４を備えており、この上部耳１４によって、薄い肉厚でも一定の強度を保つことができる。また、円筒部の外壁には、円周方向に数段の段差を設けることも可能である。このように構成すれば、内装固定用パッド１１に嵌入された後、内装固定用パッド１１からキャップ１２が抜け難くなり、巻芯２１からも抜け難くなる。このキャップ１２は、例えば、樹脂材を採用することができ、ポリプロピレンの成形品として、巻芯２１の径に合わせて成形されている。ここでは、肉厚を約２ｍｍとして、円筒部の外径を約７．５ｃｍ、内径を約７．１ｃｍ、高さを約５．３ｃｍとし、上部耳１４によって形成される上穴径を約４．９ｃｍとしている。円筒部が長すぎる（円筒部の高さが高い）場合には、後述するように炭素質繊維シート２２の周りにフィルム等の包装材を巻く際、炭素質繊維シート２２の端の巻き込みが起こり易く、端の性状にムラができ易い。また、円筒部が短すぎる（円筒部の高さが低い）場合には、挿入した巻装シート２０が抜け易くなる。従って、内装固定用パッド１１の厚さにもよるが、キャップ１２の円筒部の長さとしては３０ｍｍ以上、例えば厚さ１０ｍｍの内装固定用パッド１１からの突起部として２０ｍｍ以上程度はあることが好ましい。また、つば１３の部分は、巻装シート２０の荷重がかかっても破壊されない程度の形状、肉厚が必要であり、ここでは、約１．０ｃｍとしている。
【００２８】
尚、本実施の形態では、例えば段ボール等からなる内装固定用パッド１１に樹脂材からなるキャップ１２を貫入させて支持材１０を形成させているが、内装固定用パッド１１とキャップ１２を成形品等によって一体化させ、巻芯２１を支える突起部と、この巻芯２１の端面に当接する当接部とを備えた支持材１０を形成することも可能である。また、内装固定用パッド１１に複数の穴を開け、複数のキャップ１２を内装固定用パッド１１に取り付けて支持材１０を形成させることもできる。かかる構成によれば、複数個の巻装シート２０を一つの梱包材を用いて梱包することができる。但し、複数のキャップ１２が設けられる位置は、複数個の巻装シート２０が各々接触しない位置に配置されることが必要である。また、取り出し等の容易性等を考え、かかる複数の巻装シート２０を同時に梱包する際には、巻装シート２０ごとに内装固定用パッド１１を分断させることも有効である。
【００２９】
図４は、巻装シート２０を支持材１０に取り付けた状態を説明するための図であり、巻装シート２０の両端にて、巻芯２１の中空部に、突起部であるキャップ１２を嵌入させている。巻装シート２０は、捲回された炭素質繊維シート２２の周りにフィルム等の包装材２３が巻かれ、内装固定用パッド１１の当接部に巻芯２１の端部が包装材２３を介して当接して固定されている。包装材２３は、炭素質繊維シート２２をほこりや紙粉等から保護するために用いられる。この包装材２３としては、プラスチックフィルム等、炭素質繊維シート２２を汚染せず、取り扱い時や保管時等に、炭素質繊維シート２２と共に損傷しないものとして、適度な柔らかさ、厚さ等を備えた材質が選定される。例えば、硬いフィルムを採用する場合には、例えば、ポリプロピレンを延伸した厚さ０．０４ｍｍ程度のものや、柔らかいフィルムを採用する場合には、例えば、ポリエチレン（延伸なし）の厚さ０．０７ｍｍ程度のものを用いることができる。
【００３０】
これらの包装材２３の巻き方であるが、きつく巻くと無理な荷重がかかってしまうことから、炭素質繊維シート２２のエッジが潰れないように、緩くなるように（ふわっとなるように）軽く巻かれることが好ましい。また、キャップ１２に嵌入させた際にエッジが潰れないように、かかる作業を見込んだ長さの包装材２３が用いられる。このとき、硬いフィルムからなる包装材２３を用いた場合には、部分的に炭素質繊維シート２２の巻き込みが生じて型が崩れる場合がある。そのために、均一化の観点からすれば、延伸していないフィルムを包装材２３として用いることが好ましい。また、このとき、炭素質繊維シート２２が剥き出しにならないように、包装材２３によって炭素質繊維シート２２の全体が覆われるように構成されている。尚、図４では、巻芯２１の中空部にまで包装材２３が折り込まれているが、キャップ１２の途中までしか折り込まれていない場合もある。また、図４では、支持材１０のキャップ１２に挟んで固定するように構成したが、回り込み（折り込み）を無くし、例えば、巻芯２１の長さに合わせた幅のフィルム等からなる包装材２３を、捲回された炭素質繊維シート２２の外周に巻くだけに留めることもできる。かかる際には、例えばシール、テープ等によって巻かれた包装材２３を固定することが有効である。
【００３１】
包装材２３が巻かれた巻装シート２０は、作業性に影響を与えず、また、輸送時における巻装シート２０のガタツキなどの許容範囲を考慮して、緩やかに嵌め込まれるように構成することができる（緩嵌の状態にて嵌入される）。このとき、本実施の形態では、巻芯２１の端部が内装固定用パッド１１によって押し当てられ、図１（ａ）に示すように、支持材１０の長手方向長さは、巻芯２１の長さと、両端に設けられた内装固定用パッド１１の厚さとによって決定される（ここでは、包装材２３の厚さは無視して考えている）。図１（ｂ）に示す段ボール箱３０の長手方向の内寸を、支持材１０によって両端が支持された巻装シート２０の長手方向長さと同等とすれば、段ボール箱３０の内部において、長手方向に対する内装物の変動を抑制し、例えば保管、輸送時において炭素質繊維シート２２に生じる損傷を軽減することができる。特に、支持材１０によって両端が支持された巻装シート２０を段ボール箱３０に挿入した後の梱包物は、長手方向を巻芯２１の長さ（幅）によって補強することができることから、例えば段ボール箱３０に特別な強度補強を施さない場合であっても、炭素質繊維シート２２の保護を十分に図ることができる。即ち、長尺状に形成され、損傷し易く、更に損傷が電気特性等に影響を与え易い炭素質繊維シート２２において、本実施の形態では、比較的丈夫である巻芯２１の強度を利用し、保管、輸送時において、この巻芯２１に巻かれた炭素質繊維シート２２を有効に保護することができる。尚、前述のように、段ボール箱３０の内側に、例えばクッション材や段ボール等からなる詰め物（緩衝材）を用いる場合には、支持材１０によって両端が支持された巻装シート２０の長手方向長さに、この詰め物（緩衝材）の大きさ（厚さ、伸縮する場合には縮まった寸法）を加えて、図１（ｂ）に示す段ボール箱３０の長手方向の内寸と同等とすれば、同様の強度保護効果を得ることができる。
【００３２】
更に、本実施の形態では、炭素質繊維シート２２を支持する際に、内装固定用パッド１１の当接部に巻芯２１の端部が突き当てられる（当接される）ために、内装固定用パッド１１が炭素質繊維シート２２の端部方向に移動することが抑制される。その結果、梱包材としての内装固定用パッド１１自身によって発生するであろう炭素質繊維シート２２の損傷を軽減することができる。このとき、例えば、図示しないクッション材（緩衝材）等を設け、巻装シート２０を内装固定用パッド１１に直接接触させないように構成すれば、炭素質繊維シート２２の端面が内装固定用パッド１１に当たって擦れる等の損傷を更に軽減することができる点で好ましい。一方、巻芯２１の長さに比べて炭素質繊維シート２２の幅が狭い場合には、内装固定用パッド１１によって与える炭素質繊維シート２２の損傷をほぼゼロにすることが可能となる。但し、かかる場合には、巻芯２１に捲回された炭素質繊維シート２２の、軸方向（巻芯２１の長さ方向）のずれが発生する場合があり、クッション材（緩衝材）等を含めた所定の部材を設けることが望ましい。
【００３３】
また、図４に示すように、本実施の形態では、保持される巻装シート２０の円周方向の直径は、内装固定用パッド１１の一辺の長さ（短手方向長さおよび高さ等）よりも充分に小さい。その結果、巻装シート２０の両端に設けられた支持材１０によって、この巻装シート２０が水平に浮かされた状態で保持され、その保持された状態にて、外箱である段ボール箱３０の内壁に接触することがない。尚、この箱材である段ボール箱３０（図１（ｂ）参照）は、耐衝撃性の高いものであることが好ましく、例えば、Ｋ６Ｗ（Ｋ：紙質、６：強度、Ｗ：ダブル）が用いられる。このＷは、ライナ、波形状中しん、ライナ、波形状中しん、ライナの構造からなり、例えば、「ＡＢ段」は、外側２ｍｍ、内側５ｍｍとなっている。また、段ボール箱３０の大きさは、内装固定用パッド１１の一辺の長さを３１ｃｍとする正方形とした場合に、内寸が、縦５３．５ｃｍ、横３１．２ｃｍ、高さ３１ｃｍといったものを採用することができる。勿論、内装する製品の種類に応じて、適切な大きさを選定することができる。
【００３４】
次に、図１（ａ）に示すような支持材１０で両端が支持された巻装シート２０を図１（ｂ）に示す段ボール箱３０に詰めるとき、および巻装シート２０を段ボール箱３０から取り出すときについて説明する。まず、支持材１０で両端が支持された巻装シート２０を段ボール箱３０に詰めるときには、巻装シート２０を略水平に保った状態（即ち、巻芯２１を横にした状態）で作業を行うことが必要となる。巻装シート２０を鉛直方向にすると（即ち、巻芯２１を縦にすると）、自重によって炭素質繊維シート２２の下方が押され、皺がよってしまう。そこで、両端に設けられた支持材１０によって巻装シート２０を水平に保ち、浮いているような状態にて、中空で保持するように梱包がなされる。このとき、巻芯２１をキャップ１２で保持し、前述のように、段ボール箱３０の内壁に巻装シート２０が接触しないように構成されている。
【００３５】
巻装シート２０を段ボール箱３０から取り出すときには、巻かれた炭素質繊維シート２２に無理な荷重がかかり、皺が入ったり、厚さムラ等が生じ、物性に影響が出ないように、巻装シート２０を常に略水平に保った状態にて取り出されることが必要である。段ボール箱３０等にかかる注意に関する表示を行うことも有効である。段ボール箱３０から取り出された支持材１０を含む巻装シート２０は、両端に設けられた支持材１０が外され、巻装シート２０が取り出される。この巻装シート２０に巻かれた包装材２３を取り除き、例えば、巻芯２１をそのまま次工程の治具に取り付けることで、ユーザによる炭素質繊維シート２２の使用が可能となる。
【００３６】
【発明の効果】
以上説明したように、本発明によれば、例えば、損傷に対する影響の大きい長尺状の炭素質繊維シートを、その損傷を抑制した状態にて保管、輸送することができる。
【図面の簡単な説明】
【図１】（ａ），（ｂ）は、本実施の形態が適用される梱包物を説明するための図である。
【図２】本実施の形態における保存、輸送対象物である捲回された炭素質繊維シートを説明するための図である。
【図３】本実施の形態が適用される支持材を説明するための図である。
【図４】巻装シートを支持材に取り付けた状態を説明するための図である。
【符号の説明】
１０…支持材、１１…内装固定用パッド、１２…キャップ、１３…つば、１４…上部耳、２０…巻装シート、２１…巻芯、２２…炭素質繊維シート、２３…包装材、３０…段ボール箱
【図１】
2004059070.tif 000003
【図２】
2004059070.tif 000004
【図３】
2004059070.tif 000005
【図４】
2004059070.tif 000006